(57)【特許請求の範囲】
【請求項１】
撮影者による合焦操作にて駆動されることで被写体像の結像位置を調整可能な撮影レンズと、
上記撮影レンズを介して上記被写体像を結像し且つ上記被写体像を映像信号に変換する撮像手段と、
上記撮像手段における上記被写体像の合焦状態を評価する為の指標である合焦評価値を、上記撮像手段から出力される映像信号に基づいて算出する評価値算出手段と、
上記評価値算出手段により算出された上記合焦評価値に基づいて、合焦状態の表示に係る値である表示値を算出する表示値算出手段と、
上記表示値算出手段により算出された表示値に応じた図形形状によって合焦状態を表示する表示手段と、
上記表示手段による図形形状の表示の際に、上記合焦評価値が所定の基準値に満たない値である場合において上記合焦評価値の増減に従って上記図形形状を線形的に変化させる第１の変化パターンと、上記合焦評価値が上記基準値以上の値である場合において上記合焦評価値の増減に伴う上記図形形状の変化の割合が上記第１の変化パターンにおける変化の割合よりも小さい変化の割合で、上記合焦評価値の増減に従って上記図形形状を変化させる第２の変化パターンと、を切り換える図形形状切換手段と、
を具備することを特徴とするカメラの合焦状態表示装置。
【請求項２】
所定の時点における上記評価値算出手段の出力値を上記基準値とし、該基準値によって各々の時点における上記合焦評価値を規格化した値に基づいて上記表示値を規格化する規格化手段を含むことを特徴とする請求項１に記載のカメラの合焦状態表示装置。
【請求項３】
上記規格化手段は、圧縮演算を施して上記表示値を規格化することを特徴とする請求項２に記載のカメラの合焦状態表示装置。
【請求項４】
上記第２の変化パターンは、上記表示値算出手段により算出された上記合焦評価値の対数に基づく変化パターンであることを特徴とする請求項１に記載のカメラの合焦状態表示装置。
【請求項５】
上記図形形状切換手段は、
上記合焦評価値がピーク値を越えた場合には上記第１の変化パターンに切り換え、
上記合焦評価値がピーク値に達していない場合には上記第２の変化パターンに切り換える
ことを特徴とする請求項１に記載のカメラの合焦状態表示装置。
【請求項６】
上記図形形状切換手段は、
上記表示値に応じて、上記図形形状の表示色またはテクスチャーパターンを変化させることを特徴とする請求項１に記載のカメラの合焦状態表示装置。
【請求項７】
上記所定の時点とは、上記表示手段による上記図形形状の表示開始時点である
ことを特徴とする請求項２に記載のカメラの合焦状態表示装置。
【請求項８】
上記所定の時点とは、上記撮影者により指示された時点である
ことを特徴とする請求項２に記載のカメラの合焦状態表示装置。
【請求項９】
上記合焦評価値がピーク値を越えた場合には、上記ピーク値をピークホールドして表示するピーク表示手段を含む
ことを特徴とする請求項１に記載のカメラの合焦状態表示装置。
【発明の詳細な説明】
【技術分野】
【０００１】
本発明は、マニュアルフォーカス可能なカメラの合焦状態表示装置において、特に合焦状態のレベルの表示が可能なカメラの合焦状態表示装置に関する。
【背景技術】
【０００２】
一般に、デジタルカメラにおけるマニュアルフォーカス（以下、ＭＦと称する）では、ユーザーが撮影レンズを手動で回転操作させながら、ファインダー又は電子ビューファインダー（ＥＶＦ）にて被写体を観察し、ピントが最良であると考えたレンズ位置で撮影レンズの移動を停止させる方法が行われている。
【０００３】
しかしながら、上記のようなＭＦでは、ユーザーの力量及びファインダーの見やすさ等の要因により、ユーザーが撮影レンズを停止させたレンズ位置が最良の合焦状態を得られるレンズ位置であるとは言えない。
【０００４】
一方、デジタルカメラのオートフォーカス（以下、ＡＦと称する）としては、撮像素子の出力に所定の演算を施して合焦の度合いを表す評価値（以下、合焦評価値と称する）を算出し、上記合焦評価値がピーク値となるときの撮影レンズのレンズ位置に、撮影レンズを移動することによって最良の合焦状態を得る方法が知られている。なお、上記合焦評価値とは、映像信号の高周波成分の大きさを示すものであり、合焦状態にあるほど高い値を示す。したがって、上記合焦評価値がピーク値となるレンズ位置をスキャンすることで、最良の合焦状態を得ることができるレンズ位置を検出できる。このＡＦの方法は、山登りＡＦ、イメージャＡＦ、またはコントラストＡＦの名称で呼ばれている。
【０００５】
ところで、上記合焦評価値を、ＭＦにおけるピント合わせに利用する技術として、例えば以下に示すような技術が知られている。
【０００６】
まず、特許文献１には、合焦状態のレベルのリアルタイムな表示を行うカメラ装置が開示されている。また、特許文献２には、撮影レンズの位置の情報を表示し且つ合焦評価値の情報をバー表示する電子カメラが開示されている。さらに、特許文献３には、横軸が撮影レンズの位置、縦軸が合焦評価値を示すグラフを表示する撮像装置が開示されている。そして、特許文献４には、ＭＦ前後の合焦評価値の差分を、その極性及び大きさが識別できる表示形態で表示するビデオカメラが開示されている。
【０００７】
以上、特許文献１乃至４に開示された技術によれば、一般的に行われているＭＦよりも比較的正確なＭＦが実現する。
【特許文献１】特開平６−１１３１８４号公報
【特許文献２】特開２００１−４２２０７号公報
【特許文献３】特開２００３−２６２９１０号公報
【特許文献４】特開２００５−１８１３７３号公報
【発明の開示】
【発明が解決しようとする課題】
【０００８】
ところで、上記合焦評価値の絶対値は、その性質上、被写体のコントラスト、輝度、及び手ぶれ等によって大きく変化する。このことは、山登りＡＦを行う場合には合焦評価値のピーク値が検索できればよいので、さほど大きな問題にはならない。
【０００９】
しかしながら、上記特許文献１乃至４に開示された技術では、ＭＦを行う場合においても、上記合焦評価値の絶対値に依存する量をそのまま合焦状態のレベルの表示として用いる。この為、上記特許文献１乃至４に開示された技術では、上記合焦評価値が、例えば被写体によって高いレベルで推移したり、逆に低いレベルで推移したりする。結果として、上記特許文献１乃至４に開示された技術では、ＭＦによる正確な合焦が難しい。また、上記合焦評価値が低いレベルで推移する場合には特に合焦させにくい。さらに言えば、被写体により合焦度合いの表示レベルが大きく変化するので、ユーザーにとって非常に違和感があった。
【００１０】
なお、この問題点は、上記特許文献４に開示の技術、すなわち差分を表示する技術により若干緩和されるものの、被写体依存性が高いことに全く変わりは無い。
【００１１】
本発明は、上記のような事情に鑑みてなされたものであり、山登りＡＦを行うカメラであって且つＭＦ可能なカメラにおいて、ＭＦでのピント合わせを容易且つ正確に行うことができる合焦状態表示装置を提供することを目的とする。
【課題を解決するための手段】
【００１２】
上記の目的を達成するために、本発明の第1の態様によるカメラの合焦状態表示装置は、撮影者による合焦操作にて駆動されることで被写体像の結像位置を調整可能な撮影レンズと、上記撮影レンズを介して上記被写体像を結像し且つ上記被写体像を映像信号に変換する撮像手段と、上記撮像手段における上記被写体像の合焦状態を評価する為の指標である合焦評価値を、上記撮像手段から出力される映像信号に基づいて算出する評価値算出手段と、上記評価値算出手段により算出された上記合焦評価値に基づいて、合焦状態の表示に係る値である表示値を算出する表示値算出手段と、上記表示値算出手段により算出された表示値に応じた図形形状によって合焦状態を表示する表示手段と、上記表示手段による図形形状の表示の際に、上記合焦評価値が所定の基準値に満たない値である場合において上記合焦評価値の増減に従って上記図形形状を線形的に変化させる第１の変化パターンと、上記合焦評価値が上記基準値以上の値である場合において上記合焦評価値の増減に伴う上記図形形状の変化の割合が上記第１の変化パターンにおける変化の割合よりも小さい変化の割合で、上記合焦評価値の増減に従って上記図形形状を変化させる第２の変化パターンと、を切り換える図形形状切換手段と、を具備することを特徴とする。
【発明の効果】
【００１３】
本発明は、山登りＡＦを行うカメラであって且つＭＦ可能なカメラにおいて、ＭＦでのピント合わせを容易且つ正確に行うことができる合焦状態表示装置を提供することができる。
【発明を実施するための最良の形態】
【００１４】
以下、図面を参照して、いわゆる山登りＡＦ機能を有するカメラを例に、本発明の実施形態に係る合焦状態表示装置を説明する。
【００１５】
[第１実施形態]
まず、図１に示すブロック図を参照して、本実施形態に係る合焦状態表示装置の主要な構成を説明する。なお、動作制御の詳細は、他の図面を参照して後述する。
【００１６】
参照符号２が付されているのは、本実施形態に係る合焦状態表示装置が搭載されたカメラの撮影レンズを介して被写体像を結像し、且つ該結像した被写体像を光電変換により映像信号に変換する撮像部である。そして、この撮像部２は、上記映像信号を後述する合焦評価値演算部４へ出力する。
【００１７】
上記合焦評価値演算部４は、上記撮像部２から出力される上記映像信号に基づいて、現在時点における上記被写体像の合焦度合いを評価する合焦評価値を算出する。また、ピーク検出部６は、上記合焦評価値演算部４から出力される上記合焦評価値を参照して、上記合焦評価値がその変化過程においてピーク値を通過したことを検出する部材である。すなわち、上記ピーク検出部６は、当該カメラのユーザーにより行われる撮影レンズの駆動（合焦操作）に起因する上記合焦評価値の変化過程において、上記合焦評価値がピーク値を通過したことを検出する。
【００１８】
ここで、合焦メーター作成部８が、上記合焦評価値演算部４から出力される上記合焦評価値に基づいて、上記合焦評価値を視覚的に表現する合焦メーター画像を作成する。なお、上記合焦メーター画像とは、上記ＡＦ合焦評価値を図形形状にて表現したものであり、詳細は具体例を挙げて後述する。また、上記合焦メーター作成部８は、上記ピーク検出部６から出力される上記合焦評価値がピーク値を通過した旨の信号に従って、上記合焦メーター画像の表示スケールを変更する。なお、該表示スケールについては後に詳述する。
【００１９】
そして、表示部１０が、上記撮像部２から出力される上記映像信号と、上記合焦メーター作成部８から出力される上記合焦メーター画像とを合成して、該合成により作成した画像を例えばＬＣＤ等からなるモニタ１２に出力する。すなわち、該モニタ１２は、上記表示部１０により生成された画像を表示する為の部材である。
【００２０】
図２は、本実施形態に係る合焦状態表示装置を搭載されたカメラの構成を詳細に示したブロック図である。以下、同図を参照して、通常のカメラで行われるＡＦを例に、当該カメラの構成部材を詳細に説明する。
【００２１】
なお、図１のブロック図に示す合焦状態表示装置の構成部材と、図２のブロック図に示すカメラの構成部材との対応は以下の通りである。すなわち、上記撮像部２による機能は、例えば図２に示す撮影光学系１０２、絞り１０４、シャッター部２０８、撮像素子２１２、及び撮像インターフェイス回路２１７により担われる。また、上記合焦評価値演算部４による機能、上記ピーク検出部６による機能、上記合焦メーター作成部８による機能、及び上記表示部１０による機能は、例えば図２に示す画像処理コントローラ２１８及びバッファメモリ２１９により担われる。そして、上記モニタ１２による機能は、例えば図２に示す液晶モニタ２２２により担われる。
【００２２】
なお、上記撮像部２による機能、上記合焦評価値演算部４による機能、上記ピーク検出部６による機能、上記合焦メーター作成部８による機能、及び上記表示部１０による機能は、後述するボディ制御用マイクロコンピュータ（以下、Ｂｕｃｏｍと称する）２０１により、それぞれにおける処理を順次実行するよう画像処理コントローラ２１８及びバッファメモリ２１９に指示が出される。
【００２３】
まず、図２に示すように、本実施形態に係る合焦状態表示装置を搭載されたカメラは、レンズ鏡筒１００とカメラ本体２００とから構成されている。
【００２４】
ここで、上記レンズ鏡筒１００の各部の制御はレンズ制御用マイクロコンピュータ（以下、Ｌｕｃｏｍと称する）１０１によって行われる。一方、上記カメラ本体２００の各部の制御はＢｕｃｏｍ２０１によって行われる。ここで、上記カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００２５】
上記レンズ鏡筒１００の内部には、撮影光学系１０２が配設されている。ここで、図２においては、該撮影光学系１０２を構成する複数の光学レンズ（撮影レンズ）を１つの光学レンズで代表して図示している。この撮影光学系１０２は、レンズ駆動機構１０３内に存在する図示しないＤＣモータにより、その光軸方向に移動される。
【００２６】
また、上記撮影光学系１０２の後方には絞り１０４が設けられている。この絞り１０４は、絞り駆動機構１０５内に存在する図示しないステッピングモータによって開閉駆動される。上記絞り１０４の開閉が制御されることによって、上記撮影光学系１０２を介してカメラ本体２００に入射する被写体からの光束の光量が制御される。
【００２７】
ここで、上記レンズ駆動機構１０３内のＤＣモータの制御及び上記絞り駆動機構１０５内のステッピングモータの制御は、Ｂｕｃｏｍ２０１の指令を受けたＬｕｃｏｍ１０１によって行われる。また、上記レンズ鏡筒１００の外周に設けられた回転可能な部材であるピントリング１０６がユーザーにより回転させられると、該回転に同期して上記レンズ駆動機構１０３により上記撮影光学系１０２が駆動される。すなわち、上記ピントリング１０６は、ユーザーによるマニュアルフォーカスの為の部材である。
【００２８】
また、カメラ本体２００の内部には、メインミラー２０２ａ、ペンタプリズム２０２ｃ、接眼レンズ２０２ｄから構成されるファインダー装置が設けられている。カメラが通常状態にある場合には、上記撮影光学系１０２を介して入射した被写体からの光束の一部がメインミラー２０２ａで反射される。これによって、ペンタプリズム２０２ｃ、及び接眼レンズ２０２ｄを介して観察用の像が形成される。
【００２９】
ここで、上記ペンタプリズム２０２ｃの近傍には測光回路２０４が設けられており、ペンタプリズム２０２ｃを通過した光束の一部が、上記測光回路２０４内の図示しないホトセンサに入射するようになっている。上記測光回路２０４では、ホトセンサで検出された光束の光量に基づき周知の測光処理が行われる。そして、上記測光回路２０４で処理された結果は、Ｂｕｃｏｍ２０１に送信される。
【００３０】
Ｂｕｃｏｍ２０１では、上記測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて上記絞り１０４の駆動制御が行われる。
【００３１】
なお、上記メインミラー２０２ａを透過して上記サブミラー２０３で反射された光束は、自動焦点調節処理（ＡＦ処理）を行うためのＡＦセンサユニット２０５に導かれる。該ＡＦセンサユニット２０５の内部には、エリアセンサ（不図示）が設けられており、このエリアセンサに入射した光束は、電気信号に変換される。
【００３２】
このエリアセンサからの出力は、ＡＦセンサ駆動回路２０６を介してＢｕｃｏｍ２０１へ送信される。そして、Ｂｕｃｏｍ２０１において測距処理が行われ、焦点調節に必要な撮影光学系１０２の焦点状態（デフォーカス量）が演算される。そしてこの演算結果は、Ｂｕｃｏｍ２０１からＬｕｃｏｍ１０１に送信される。Ｌｕｃｏｍ１０１では、Ｂｕｃｏｍ２０１から通知された移動量に基づいて撮影光学系１０２の駆動制御が行われる。
【００３３】
ところで、当該カメラが撮影動作状態にあるときには、上記メインミラー２０２ａが、撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００３４】
このように上記メインミラー２０２ａがアップ位置に移動されることによって、上記撮影光学系１０２を透過した被写体からの光束は、シャッター部２０８の方向に入射する。上記シャッター部２０８を通過した光束は、その後上記シャッター部２０８の後方に配置された撮像素子２１２に入射する。なお、上記シャッター部２０８は先幕と後幕とから構成されるフォーカルプレーン式のシャッターである。ここで、上記先幕及び後幕を駆動するためのばね力は、シャッターチャージ機構２０９によってチャージされる。また、上記先幕及び後幕の駆動は、シャッター制御回路２１０によって行われる。なお、上記シャッターチャージ機構２０９及び上記シャッター制御回路２１０は、Ｂｕｃｏｍ２０１によって制御される。
【００３５】
そして、上記撮像素子２１２で結像した被写体像の光束は、電気信号（映像信号）に変換される。そして、該電気信号は、所定タイミング毎に撮像インターフェイス回路２１７を介して読み出されてデジタル化される。そして、該撮像インターフェイス回路２１７でデジタル化されて得られた画像データは、画像処理コントローラ２１８を介してＳＤＲＡＭなどで構成されたバッファメモリ２１９に格納される。ここで、該バッファメモリ２１９は、画像データなどのデータの一時保管用メモリであり、画像データに各種処理が施される際のワークエリアなどに利用される。また、上記バッファメモリ２１９は、図１における上記合焦評価値演算部４、上記ピーク検出部６、上記合焦メーター作成部８、及び表示部１０により実行される処理に関するデータを一時的に記憶する為のメモリである。
【００３６】
その後、撮像インターフェイス回路２１７を介して読み出されバッファメモリ２１９に格納された上記画像データが、画像処理コントローラ２１８によって読み出される。該画像処理コントローラ２１８によって読み出された画像データは、ホワイトバランス補正や、階調補正、色補正などの周知の画像処理が施された後、上記バッファメモリ２１９に格納される。そして、画像記録時には、上記画像処理コントローラ２１８によって処理された画像データが、ＪＰＥＧ方式などの周知の圧縮方式によって圧縮される。このＪＰＥＧ圧縮によって得られたＪＰＥＧデータは、上記バッファメモリ２１９に格納された後、所定のヘッダ情報が付加されたＪＰＥＧファイルとしてＦｌａｓｈＲｏｍ２２０や記録メディア２２１に記録される。
【００３７】
ここで、上記ＦｌａｓｈＲｏｍ２２０はカメラに内蔵のメモリを想定しており、上記記録メディア２２１はカメラの外部に装着され得るものを想定している。また、上記記録メディア２２１としては、例えばカメラに着脱自在に構成されたメモリカードやハードディスクドライブなどが用いられる。
【００３８】
また、上記ＦｌａｓｈＲｏｍ２２０や上記記録メディア２２１に記録されたＪＰＥＧファイルから画像を再生する際には、上記ＦｌａｓｈＲｏｍ２２０や上記記録メディア２２１に記録されたＪＰＥＧデータが、上記画像処理コントローラ２１８によって読み出されて伸長される。その後、この伸長データがビデオ信号に変換された後、表示用の所定のサイズにリサイズされ、上記液晶モニタ２２２に出力表示される。
【００３９】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。さらに、Ｂｕｃｏｍ２０１には、電源回路２２４を介して電源としての電池２２５が接続されている。該電池２２５の電圧は、上記電源回路２２４により、当該カメラシステムの各部が必要とする電圧に変換され、当該カメラシステムの各部に供給される。
【００４０】
そして、Ｂｕｃｏｍ２０１には、当該カメラの動作状態を表示出力によってユーザーに告知するための動作表示用ＬＣＤ２２６と、当該カメラの各種操作部材の操作状態を検出するためのカメラ操作ＳＷ（カメラ操作スイッチ）２２７とが接続されている。
【００４１】
ところで、当該カメラにおいて電子ビューファインダー（ＥＶＦ）表示が行われる場合には、上記撮像インターフェイス回路２１７を介して読み出され、上記バッファメモリ２１９に格納された画像データが、上記画像処理コントローラ２１８によって読み出される。該画像処理コントローラ２１８によって読み出された画像データは、ＥＶＦ表示用のホワイトバランス補正などの画像処理が施された後、上記バッファメモリ２１９に上記読み出した画像データとは別に格納される。その後、上記バッファメモリ２１９に格納された画像データは、フレーム単位で画像処理コントローラ２１８によって読み出されてビデオ信号に変換される。このビデオ信号は、表示用の所定のサイズにリサイズされた後、表示手段としての液晶モニタ２２２に出力表示される。ユーザーは、この液晶モニタ２２２に表示される画像により、撮影画像を確認することができる。
【００４２】
上述のようなＥＶＦ表示の動作制御を行えば、一般にスルー画像と称される表示を行うことができる。なお、スルー画像の表示を行うには、通常以下のような動作制御を行う。すなわち、まず上記メインミラー２０２ａをアップ位置まで移動し、シャッター部２０８を開口する。これにより上記撮影光束は、直接に上記撮像素子２１２に入射する。その後、所定のフレームレート（１秒間の撮影画像数）での撮影で撮像素子２１２が撮像して取得した画像データを、上記画像処理コントローラ２１８によって読み出し液晶モニタ２２２に表示する。ユーザーは、この液晶モニタ２２２におけるスルー画像表示を観察することで、接眼レンズを覗かなくても被写体像を観察できる。
【００４３】
以下、本実施形態に係る合焦状態表示装置を搭載したカメラの背面図を示す図３を参照して、当該カメラにおけるユーザーが用いる各種操作部材について説明する。
【００４４】
同図に示すように当該カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５と、ライブボタン３２６とが設けられている。そして、当該カメラ１の上面にはモードダイヤル３０３が設けられている。以下、それぞれの部材について順次説明していく。
【００４５】
まず、上記メインダイヤル３１６は、回転操作されることにより、現在ユーザーによって押されている操作部材に係る機能の設定変更を行う為の部材である。
【００４６】
上記モードダイヤル３０３は、各種撮影モードを設定する為の部材である。ここで該各種撮影モードの一例としてシーンモード（ＳＣＮ）を挙げて、上記モードダイヤル３０３を説明する。すなわち、上記モードダイヤル３０３がＳＣＮに設定されている状態で、上記メインダイヤル３１６がユーザーにより回転操作されることで、液晶モニタ２２２には所望のシーンに応じた撮影条件の設定に関するメニュー画面が表示される。ここで、上記所望のシーンとしては、例えばポートレート、スポーツ、記念撮影、風景、夜景のシーン等がある。そして、これらのうちユーザーにより選択されたシーンに応じて、露光、フラッシュ発光、測光モード、ＡＦ方式、連写間隔等の撮影時における各種撮影条件が設定される。
【００４７】
上記ＡＦフレームボタン３１７は、撮影時のＡＦ方式を選択するためのボタンである。このＡＦフレームボタン３１７が押されている状態で、メインダイヤル３１６のダイヤル操作がなされることにより、ＡＦ方式が、例えばマルチＡＦ又はスポットＡＦに変更される。
【００４８】
なお、上記マルチＡＦでは、画面内の複数測距点の焦点状態が検出される。一方、スポットＡＦでは、画面内の一点（複数候補の中から選択できる）の焦点状態が検出される。
【００４９】
上記ＡＥロックボタン３１８は、露光条件を固定するためのボタンである。このＡＥロックボタン３１８が押されている間は、そのとき演算されている露光量が固定される。
【００５０】
上記再生モードボタン３１９は、カメラ１の動作モードを、ＦｌａｓｈＲｏｍ２２０や記録メディア２２１に記録されたＪＰＥＧファイルから画像を液晶モニタ２２２に再生表示できる再生モードに切り替えるためのボタンである。
【００５１】
上記消去ボタン３２０は、再生モード中において画像データ（ＪＰＥＧファイル）をＦｌａｓｈＲｏｍ２２０や記録メディア２２１から消去するためのボタンである。
【００５２】
上記プロテクトボタン３２１は、再生モード中において、誤って画像データが消去されないように、画像データにプロテクトをかけるためのボタンである。
【００５３】
上記情報表示ボタン３２２は、画像データの付加情報（例えば、Ｅｘｉｆ情報）に基づく画像情報を液晶モニタ２２２に表示させるためのボタンである。
【００５４】
上記メニューボタン３２３は、液晶モニタ２２２にメニュー画面を表示させるためのボタンである。このメニュー画面は、複数の階層構造からなるメニュー項目によって構成されている。ユーザーは、所望のメニュー項目を十字ボタン３２４で選択することができ、ＯＫボタン３２５で選択した項目を決定することができる。ここで、メニュー項目としては、例えばＦｌａｓｈＲｏｍ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニュー等がある。
【００５５】
上記ライブボタン３２６は、上述したスルー画像の表示を行うモードを選択する為のボタンである。以降、スルー画像の表示を行うモードを、ライブビューモードと称する。上記ライブボタン３２６がユーザーにより押されると、液晶モニタ２２２におけるスルー画像の表示が開始される（上記ライブビューモードに入る）。その後、再度ライブボタン３２６が押されると、ライブビューモードから抜け出る。なお、上記ライブビューモード中においては、上記メインミラー２０２ａが上記のアップ位置にある為、ＡＦセンサユニット２０５には光束が入射しない。すなわち、この場合には、ＡＦ動作は不可能となる。したがって、ライブビューモードに入ると、上記Ｂｕｃｏｍ２０１によりＡＦ動作状態からＭＦ動作状態に切り替えられる。
【００５６】
なお、ユーザーにより上記の各操作部材の操作で設定された内容は、上記バッファメモリ２１９又はＢｕｃｏｍ２０１内の不図示のメモリ等に保存される。
【００５７】
以下、図４（ａ）乃至（ｃ）を参照して、本実施形態に係る合焦状態表示装置による実際の合焦状態表示場面を説明する。
【００５８】
まず、上述したように、ユーザーにより上記ライブボタン３２６が押されると、当該カメラはライブビューモードに入る。このとき、上記液晶モニタ２２２においては、被写体のスルー画像の表示が開始される。
【００５９】
また、当該カメラがライブビューモードに入ると図４（ａ）に示すように、上記液晶モニタ２２２の表示画面内に拡大領域を指定する上記拡大ボックス２３０が表示される（図４（ａ）においては被写体の描写は省略している）。
【００６０】
ここで、図４（ａ）及び（ｂ）に示す拡大ボックス２３０は、図４（ａ）に示すように、上記液晶モニタ２２２上のユーザー所望の領域へ移動可能な表示である。したがって、ユーザーは、拡大表示させたい部分の画像を含む所望の領域に、上記拡大ボックス２３０を重ね合わせて選択する。なお、上記拡大ボックス２３０の移動は、ユーザーによる上記十字ボタン３２４の操作により行われる。すなわち、ユーザーによる上記十字ボタン３２４の操作で、上記拡大ボックス２３０は、上記液晶モニタ２２２の表示画面内のユーザー所望の位置に移動させられる。その後、ユーザーによる上記ＯＫボタン３２５の操作により、上記拡大ボックス２３０が重ね合わされた領域の拡大表示が上記液晶モニタ２２２上に為される（図４（ｃ）参照）。
【００６１】
このように、上記ライブビューモードにおいては、ユーザーは任意の領域を拡大表示させることができる。なお、このような任意の領域の拡大表示の目的は、ＭＦ時のユーザーによるピントを合わせを容易にする為である。以下、時系列に沿って説明する。
【００６２】
ここで、図４（ｂ）及び（ｃ）に示すように、例えば被写体２３１における頭部を含む領域を拡大表示させる場合には、ユーザーによる上記十字ボタン３２４の操作により被写体２３１における頭部を含む領域に上記拡大ボックス２３０が合わせられ、その後上記ＯＫボタン３２５が押されることで、図４（ｃ）に示すように、被写体２３１における頭部の領域が液晶モニタ２２２上に拡大表示される（拡大モードに移行する）。以降、図４（ｃ）に示すように拡大表示を行うモードを拡大モードと称する。このようにして、ユーザーにより位置を設定された上記拡大ボックス２３０の領域内の画像（図４（ｂ）参照）は、図４（ｃ）に示すように上記液晶モニタ２２２の表示画面全域を使用した拡大表示が為される。
【００６３】
ここで、上記拡大モードにおいては、上記拡大ボックス２３０内の領域の画像（本例では被写体２３１の頭部の画像）が液晶モニタ２２２上に拡大表示される。そして、該液晶モニタ２２２における中心から上下左右方向に表示画面全体の５０％の領域は合焦評価値演算領域２３２とされる。すなわち、合焦評価値演算領域２３２における合焦評価値が、所定のフレームレートおきに演算される。
【００６４】
そして、上記合焦評価値演算領域２３２において演算された合焦評価値は、例えば図４（ｃ）に示すように液晶モニタ２２２上の表示画面右側における合焦メーター２４０内に、表示バー２４１として表示される。ここで、上記表示バー２４１の長さが長いほど合焦評価値が高く（合焦度合いが高い）、上記表示バー２４１の長さが短いほど合焦評価値が低い（合焦度合いが低い）。なお、ここでは拡大モード時のみ合焦評価値の表示バー２４１を表示するようにしているが、図４（ｂ）に示す非拡大モード時においても同様に、上記合焦メーター２４０及び上記表示バー２４１を表示させるようにしても勿論よい。
【００６５】
なお、上記合焦評価値を上記合焦メーター２４０内の上記表示バー２４１として表現する為の演算については後述する。
【００６６】
以下、上記ライブビューモードでの撮影動作におけるＢｕｃｏｍ２０１での動作制御の処理の流れを、図５（ａ）に示すフローチャートを参照して説明する。なお、当該カメラの構成部材の詳細な動作制御は図２を参照して上述した通りであるので、ここでは上記処理の流れを中心に説明する。
【００６７】
また、当該カメラにおけるレリーズスイッチ（不図示）は一般的な２段階スイッチである。すなわち、ユーザーにより半押しされることで第１レリーズスイッチがオンとなり、全押しされることで第２レリーズスイッチがオンとなる。なお、撮影動作は、上記第２レリーズスイッチがオンになった時に実行される。
【００６８】
まず、上述したライブビューモードへの移行操作が行われると（ユーザーにより上記ライブボタン３２６が押されると）、当該カメラはライブビューモードに入る。このとき、図４（ａ）乃至（ｃ）を参照して前述した一連の処理がユーザー操作によって行われる。これは、本発明の要旨ではないので、その詳細は省略する。このようなライブビューモードの前段階の処理が行われた後、図５（ａ）に示すフローチャートの処理に移行する。
【００６９】
まず、本実施形態に係る合焦状態表示装置におけるライブビューモードの動作を行い、上記液晶モニタ２２２に、被写体のスルー画像の表示が開始される。（ステップＳ１）。ここで、このステップＳ１に関しては、後に別のフローチャートを参照して詳述する。このステップＳ１におけるライブビューモード動作中に、不図示のレリーズボタンがユーザーにより全押しされると、上記第２レリーズスイッチがオンされる。これにより、上記ステップＳ１におけるライブビューモード動作の処理を終了する。そして、上記メインミラー２０２ａを、上記アップ位置から、図２に示す上記メインミラー２０２ａの位置であるダウン位置（初期位置）まで、上記ミラー駆動機構２０７を介して駆動する（ステップＳ２）。このステップＳ２は、測光動作を実行する為のステップである。
【００７０】
次に、上記測光回路２０４で測光を行い、上記シャッター部２０８の開口時間及び上記絞り１０４の絞り値を演算する（ステップＳ３）。そして、上記メインミラー２０２ａを、ミラー駆動機構２０７で、上記アップ位置まで駆動する（ステップＳ４）。さらに、上記ステップＳ３にて算出した絞り値に基づいて、上記絞り１０４を駆動する（ステップＳ５）。
【００７１】
その後、上記撮像素子２１２の駆動を開始し、撮像動作を開始させる（ステップＳ６）。また、上記シャッター部２０８を、上記ステップＳ３で算出した開口時間に基づいて開口させ、再び閉口させる（ステップＳ７）。上記シャッター部２０８を閉口した後、上記撮像素子２１２の駆動を停止し、上記撮像インターフェイス回路２１７で、上記撮像素子２１２における画素データの読み出しを行う（ステップＳ８）。ここで、上記画像処理コントローラ２１８で、上記ステップＳ８にて上記撮像素子２１２から読み出した画素データを、画像処理する（ステップＳ９）。
【００７２】
そして、上記ステップＳ９で画像処理された画像データを、上記バッファメモリ２１９に一時的に格納する（ステップＳ１０）。さらに、上記絞り１０４を開放位置まで戻す（ステップＳ１１）。その後、当該画像データの画像ファイルを生成する（ステップＳ１２）。このステップＳ１２においては、上記ステップＳ１０で上記バッファメモリ２１９に一時的に格納した画像データを上記記録メディア２２１へ書き込む形態として、当該画像データの画像ファイルを生成する。そして、上記ステップＳ１２で生成した画像データの画像ファイルを記録メディア２２１へ記録する（ステップＳ１３）。その後上記ステップＳ１に戻ってライブビューを再開する。
【００７３】
以下、ライブビューモードの動作を終了する場合のＢｕｃｏｍ２０１での処理の流れを示すフローチャートである図５（ｂ）を参照して、ライブビューモードの終了動作を説明する。なお、上記ステップＳ１におけるライブビューモード動作中に、ユーザーにより上記ライブボタン３２６が押されることで、図５（ｂ）に示すフローチャートの処理に移行する。
【００７４】
まず、上記液晶モニタ２２２におけるライブビュー表示を終了する（ステップＳ２１）。つづいて、ライブビューモード中に設定されているＭＦ動作状態を解除し、ライブビューモード以前に設定されていたＡＦ動作状態に設定し直す（ステップＳ２２）。
【００７５】
そして、開口している上記シャッター部２０８を閉口する（ステップＳ２３）。さらに、この上記シャッター部２０８の閉口に伴って、上記撮像素子２１２の駆動を停止させる（ステップＳ２４）。つづいて、上記メインミラー２０２ａを、初期位置である上記ダウン位置まで駆動する（ステップＳ２５）。その後、待機状態となる。
【００７６】
以下、図６を参照して、本実施形態に係る合焦状態表示装置の特徴部の一つである、マニュアルフォーカスの為の指標の表示例を説明する。ここで、図６（ａ）は、本実施形態における合焦評価値と撮影光学系１０２のレンズ位置との関係を示す図である。図６（ｂ）は、図６（ａ）に示す各レンズ位置における合焦評価値の表示の一例を示す図である。図６（ｃ）は、図６（ａ）に示す移動（３）の過程における合焦評価値の表示の一例を示す図である。
【００７７】
なお、図６（ａ）に示すように、上記拡大モードに切り替わった時点における合焦評価値を、基準となる合焦評価値であるＡＦｒｅｆと設定する。そして、この時の撮影光学系１０２のレンズ位置をレンズ位置Ｌ２とし、この例の状態としてはレンズ位置Ｌ２での合焦評価値ＡＦｒｅｆは、かなり低い状態（かなりピンぼけした状態）にあるものとする。なお、拡大モードに切り替わった時から所定のフレームレートで、Ｂｕｃｏｍ２０１により合焦評価値演算が繰り返し行われる。
【００７８】
まず、ユーザーにとっては、上記ピントリング１０６の回転操作により、上記撮影光学系１０２のレンズ位置を上記レンズ位置Ｌ２から移動させる際に、ユーザーにとっては、最初どちらの回転方向に上記ピントリング１０６を回せば合焦状態に近付くのかが不明である。
【００７９】
したがって、ユーザーは、一旦何れか所望の方向に、上記ピントリング１０６を回転させて、上記撮影光学系１０２の位置を移動させることになる。例えば、ここで上記撮影光学系１０２の位置が、図６（ａ）に示すレンズ位置Ｌ１の位置となってしまった場合には、同図に示すように合焦評価値はより低くなり、ピンボケがひどくなる（移動（１））。このような場合には、ユーザーは、それまでとは逆方向に上記ピントリング１０６を回転させればよい。
【００８０】
そこで、ユーザーは、それまでとは逆方向に、上記ピントリング１０６を回転させると、上記撮影光学系１０２の位置はレンズ位置Ｌ１からレンズ位置Ｌ２を通過してレンズ位置Ｌ５の位置となり、該レンズ位置Ｌ５において合焦評価値はピーク値（最も合焦した状態）となる。
【００８１】
しかしながら、上記撮影光学系１０２の位置が上記レンズ位置Ｌ５となり、合焦評価値がピーク値となった場合でも、その時点ではその値がピーク値であるか否かは、ユーザーにとっては不明である。したがって、上記撮影光学系１０２の位置が上記レンズ位置Ｌ５となった後も、ユーザーは上記ピントリング１０６の回転操作を続行するものと考えられる（移動（２））。
【００８２】
そして、例えば上記撮影光学系１０２の位置がレンズ位置Ｌ６となると、上記レンズ位置Ｌ５の時点に比べて表示画像のピントがややぼける。そこで、ユーザーは、合焦位置を通過したことを認識し、上記ピントリング１０６を逆回転させて（移動（３））上記レンズ位置Ｌ５の位置まで戻す操作を行う。
【００８３】
ところで本例においては、図６（ａ）乃至（ｃ）から分かるように上記レンズ位置Ｌ２における合焦評価値を基準となる合焦評価値ＡＦｒｅｆとした。上述したように、本実施形態においては、拡大モードに切り替わった時点での合焦評価値を合焦評価値の基準値とする為である。
【００８４】
そして、上記撮影光学系１０２が、上記レンズ位置Ｌ２の位置から上記レンズ位置Ｌ１の位置へ移動（移動（１））する過程においては、合焦評価値が減少していく。
【００８５】
このとき、上記Ｂｕｃｏｍ２０１は、例えば次の（１）式の演算を行って上記合焦メーター２４０内の表示バー２４１として表示する値（ＡＦｌｅｖｅｌ）を算出する。
【００８６】
ＡＦｎｏｗ＜ＡＦｒｅｆのとき：
表示値ＡＦｌｅｖｅｌ＝１０×（ＡＦｎｏｗ／ＡＦｒｅｆ）｝−５  …（１）
なお、上記ＡＦｎｏｗは、当該演算時における最新の合焦評価値を示す。また、上記（１）式における演算にて、ＡＦｌｅｖｅｌ＜０である場合は、ＡＦｌｅｖｅｌ＝０とする。なお、図６（ｂ）から分かるように、上記撮影光学系１０２のレンズ位置が、レンズ位置Ｌ２からレンズ位置Ｌ１の位置に近付くにつれて、ＡＦｌｅｖｅｌの値はより小さくなっていく。
【００８７】
ここで、上記（１）式から分かるように、ＡＦｎｏｗ＜ＡＦｒｅｆの場合には、上記合焦メーター２４０内に上記表示バー２４１として表示する値の算出において、ＡＦｎｏｗとＡＦｒｅｆとの比を１０倍して算出する。したがって、もしユーザーが、合焦状態へ近付く方向と反対の方向へ、ピントリング１０６を回転させた場合には、図６（ｂ）に示すように上記表示バー２４１の表示が急激に短くなっていく為、当該回転操作が合焦に向かう操作でないことをユーザーにはっきり且つ容易に認識させることができる。
【００８８】
一方、上記撮影光学系１０２のレンズ位置が、上記レンズ位置Ｌ２の位置からレンズ位置Ｌ６の位置への移動（移動（２））の過程においては、その間合焦評価値が増加していく。このとき、上記Ｂｕｃｏｍ２０１は、例えば次の（２）式の演算を行って上記合焦メーター２４１内の上記表示バー２４１として表示する値を算出する。
【００８９】
ＡＦｎｏｗ≧ＡＦｒｅｆのとき：
表示値ＡＦｌｅｖｅｌ＝ｌｏｇ２（ＡＦｎｏｗ／ＡＦｒｅｆ）＋５  …（２）
上記（２）式から分かるように、上記撮影光学系１０２のレンズ位置がレンズ位置Ｌ２の位置にある場合にはＡＦｌｅｖｅｌ＝５であるので、上記表示バー２４１は合焦メーター２４０における中央部（ＡＦｌｅｖｅｌが５を示すライン）と並ぶ表示となる。その後、レンズ位置Ｌ２からの移動に伴ってＡＦｌｅｖｅｌの値は大きくなり、最も合焦度合いの高くなるレンズ位置であるレンズ位置Ｌ５の位置を過ぎると、逆にＡＦｌｅｖｅｌの値は減少していく。
【００９０】
ここで、本実施形態の特徴の一つであるＡＦｎｏｗをＡＦｒｅｆで規格化して表示する理由を説明する。
【００９１】
先に説明したように、合焦評価値の絶対値は、その性格上、被写体のコントラスト、輝度、または手ぶれ等により大きく変化する。したがって、合焦評価値をリニアスケールで表示する方式を採ると、上記表示バー２４１が、被写体や撮影条件等の変化により大きく振れたり小さく振れたりすることになる。これでは、合焦評価値のピーク値を検出することは出来るものの、合焦評価値について知識の乏しい一般ユーザーにとっては、使い勝手が悪い。言い換えれば、上記合焦メーター２４０がマニュアルフォーカスを容易にする為に充分な役割を果たしているとは言い難い。
【００９２】
そこで、本実施形態においては、合焦評価値の表示については、所定の値で規格化した値に変換して表示することとした。そして、規格化のベースとしては、著しくピンボケするレンズ位置での評価値ＡＦｒｅｆが適当であると考えた。これは、合焦評価値のピーク値（上記レンズ位置Ｌ５における合焦評価値）をＡＦｐｅａｋとして、ＡＦｐｅａｋ−ＡＦｒｅｆの値のレンジを大きくすることができるからである。したがって、合焦評価値の絶対値が被写体や撮影条件によって大きくばらついてしまっても、本実施形態におけるようにＡＦｒｅｆを基準として規格化することにより、ＡＦｐｅａｋ−ＡＦｒｅｆ間のレンジを十分に大きく且つ所定範囲に収めることができる。すなわち、上記合焦メーター２４０の表示レンジ（ここでは、５〜１０）を最適化することができる。
【００９３】
次に、上記（２）式において対数圧縮による圧縮演算を行う理由を説明する。
【００９４】
まず、合焦評価値の絶対値は、その演算方法によっても異なるが、ＡＦｐｅａｋとＡＦｒｅｆとの比は数十倍となる。したがって、リニアスケールで合焦評価値を表示したのでは、合焦メーター２４０の表示レンジを、適切に設定することができない。このような事実に鑑みて、本実施形態においては上記（２）式に示すように対数圧縮を行うこととした。これにより、ＡＦｌｅｖｅｌを５乃至１０で表示できるので、ＡＦｐｅａｋとＡＦｒｅｆとが２5＝３２倍となる範囲まで対応可能となる。
【００９５】
なお、合焦評価値の演算方法によって、ＡＦｐｅａｋとＡＦｒｅｆの比がもっと小さい場合には対数圧縮しなくてもよいし、圧縮方法も対数でなくても勿論よい。
【００９６】
図６（ｃ）は、図６（ａ）に示す移動（２）、すなわちユーザーによる上記ピントリング１０６の回転操作により上記撮影光学系１０２のレンズ位置がレンズ位置Ｌ６の位置まで移動された場合において、ユーザーによる表示バー２４１の視認によって合焦評価値のピーク値を通過したことが認識された後に、ユーザーによりピントリング１０６がそれまでとは逆回転の回転操作が為され、レンズ位置がレンズ位置Ｌ５の位置（最も合焦度合いが高くなる位置）まで戻される過程の表示バー２４１の表示を示している。なお、図６（ｃ）では、この際にレンズ位置Ｌ５を再度通過してしまう過程も示している（移動（３））。この場合に、再びレンズ位置Ｌ５まで戻そうと操作される場合は、図６（ｃ）に示す例の逆を辿ることとなる（図６（ａ）に示す移動（３））。
【００９７】
以下、図７に示すフローチャートを参照して、ライブビューモードにおいて図６に示す合焦評価値を実際に表示する為の上記Ｂｕｃｏｍ２０１での動作制御を説明する。なお、図７に示すフローチャートは、図５に示すフローチャートにおけるステップＳ１の処理を詳細に示すフローチャートでもある。また、同フローチャート中において同じ処理を行うステップは、同じステップ番号を付して説明も省略する。
【００９８】
なお、ライブビューモードにおいてはＡＦモードは使用不能である。したがって、もしＡＦモードに切り替える為のＡＦモード選択スイッチ（不図示）によってＡＦモードが選択されている場合でも、まず強制的にＭＦモードに切り替える（ステップＳ３１）。すなわち、このステップＳ３１における処理で、ライブビューモードを実行する為にＭＦモードに切り替える。
【００９９】
続いて、上記メインミラー２０２ａを上記アップ位置まで移動し、シャッター部２０８を開口する（ステップＳ３２）。これにより、該開口を通して、撮像素子２１２に全光束が入射するようになる。その後、同期信号の入力を待つ（ステップＳ３３）。ここで該同期信号とは、上記撮像素子２１２を所定間隔おきに駆動して映像信号を得るための信号である。例えばフレームレートが３０フレーム／ｓである場合には、１秒間に３０回映像信号を得る。すなわち、この場合３３．３３ｍｓ毎に同期信号が撮像インターフェイス回路２１７より入力されることとなる。
【０１００】
その後、上記同期信号の入力があったと判断した場合には、上記撮像インターフェイス回路２１７によって上記撮像素子２１２の電荷蓄積動作を行う（ステップＳ３４）。そして、上記撮像素子２１２の電荷蓄積動作を終了すると、上記撮像インターフェイス回路２１７によって画像データの読み出しを行う（ステップＳ３５）。その後、今回の撮像データに公知の演算を施して露出を評価するＡＥ評価値を演算し、該演算結果に基づいて次回の撮像素子２１２駆動時の露光量を演算する（ステップＳ３６）。ここで、上記撮像素子２１２は公知の電子シャッター機能を搭載しており、上記ステップＳ３６において演算され算出された露光量に従って電荷蓄積時間を設定する。
【０１０１】
続いて、設定エリア（ここでは該設定エリアとは図４（ｃ）に示す上記合焦評価値演算領域２３２のこと；以下同様）内の合焦評価値を演算し、その後の基準となる合焦評価値であるＡＦｒｅｆとする（ステップＳ３７）。なお、合焦評価値とは、撮像素子２１２の出力にハイパスフィルタ処理を施して高周波成分を抽出し、更に公知の演算を行うことによって得られる値であり、従来よりさまざまな演算式が知られている。また、この合焦評価値は、ピントが合うほど高周波成分が多くなるので大きな値になる。
【０１０２】
ところで、上記ステップＳ３７における処理が終了した後は、次の上記同期信号が入力されるのを待つ（ステップＳ３３Ａ）。ここで、上記同期信号を検出すると、上述したステップＳ３４乃至上記ステップＳ３６における処理と同様の処理であるステップＳ３４Ａ乃至ステップＳ３６Ａを実行する。
【０１０３】
そして、上記ステップＳ３６Ａにおける処理を終えると、上記設定エリア内の合焦評価値を演算し、得られた値を合焦評価値ＡＦｎｏｗとする（ステップＳ３８）。続いて、ＡＦｒｅｆの値とＡＦｎｏｗの値との大小を判断する（ステップＳ３９）。すなわち、このステップＳ３９では、ＡＦｎｏｗ＜ＡＦｒｅｆであるか否かを判断する。
【０１０４】
上記ステップＳ３９をＹＥＳに分岐する場合は、上述した（１）式に従って表示バー２４１として表示するＡＦｌｅｖｅｌの値として、ＡＦｎｏｗ／ＡＦｒｅｆを非圧縮演算する（ステップＳ４０）。そして、次の上記同期信号を待つ。
【０１０５】
一方、上記ステップＳ３９をＮＯに分岐する場合は、ＡＦｎｏｗ≧ＡＦｒｅｆであるので、上述した（２）式に従って上記表示バー２４１として表示するＡＦｌｅｖｅｌの値としてＡＦｎｏｗ／ＡＦｒｅｆを圧縮演算する（ステップＳ４１）。そして、次の上記同期信号を待つ。
【０１０６】
以下、割り込み処理のステップについて説明する。
【０１０７】
まず、上記ステップＳ３３乃至上記ステップＳ４１における処理の最中に、所定のフレームレートによるライブビュー表示の更新動作を実行している間に、ユーザーにより上記第２レリーズスイッチがオンされると、Ｂｕｃｏｍ２０１の割り込み処理にて当該フローチャートにおけるシーケンスを抜けて、図５（ａ）を参照して説明した上記ステップＳ２の処理に移行し、撮影動作を行う（ステップＳ４２）。
【０１０８】
また、上記ステップＳ３３乃至上記ステップＳ４１における処理の最中に、所定のフレームレートによるライブビュー表示の更新動作を実行している間に、ユーザーにより上記ライブボタン３２６が押されると、Ｂｕｃｏｍ２０１の割り込み処理にて当該フローチャートにおけるシーケンスを抜けて、図５（ｂ）を参照して説明した上記ステップＳ２１の処理に移行し、ライブビューモードの終了動作を行う（ステップＳ４３）。
【０１０９】
以上説明したように、本実施形態によれば、以下のような効果を奏する合焦状態表示装置を提供することができる。
【０１１０】
まず、本実施形態に係る合焦状態表示装置によれば、大きくピントが外れた状態における撮影光学系１０２のレンズ位置（初期値）における合焦評価値を基準値であるＡＦｒｅｆと設定する。そして、ＡＦｒｅｆの値よりも小さい値の合焦評価値となる方向へ、ユーザーによりピントリング１０６が回転された場合には、非圧縮演算処理により算出したＡＦｌｅｖｅｌに基づいて上記合焦メーター２４０における上記表示バー２４１を表示する。したがって、もし合焦状態へ向かう方向と逆の方向へ上記ピントリング１０６が回転させられた場合には、上記表示バー２４１が急に短くなる為、当該ユーザーは、上記ピントリング１０６を回転させるべき方向が逆方向であることをすぐに認識できる。
【０１１１】
逆に、合焦状態へ向かう方向へ上記ピントリング１０６が回転させられた場合、圧縮演算処理により算出したＡＦｌｅｖｅｌに基づいて上記合焦メーター２４０における上記表示バー２４１を表示する。
【０１１２】
以上のような表示の制御を行うことで、上記ＡＦｐｅａｋと上記ＡＦｒｅｆとの比がある程度大きくなってしまう場合であっても、上記合焦メーター２４０における上記表示バー２４１の表示が振り切れてしまうことがない。
【０１１３】
また、本実施形態に係る合焦状態表示装置によれば、被写体条件に大きく左右されることなく、いかなる被写体であっても、上記合焦メーター２４０における上記表示バー２４１の振れ幅を所定レベルに保つことができる。すなわち、ある条件の被写体では合焦点に達しても表示バーがほとんど振れなかったり、逆に別の条件の被写体では上記表示バー２４１がその最大値近くまで振れたりということはほとんどない。
【０１１４】
さらに、本実施形態に係る合焦状態表示装置によれば、上記合焦メーター２４０における中央部から上記表示バー２４１の振りを開始するので、ユーザーにとって非常に見やすい合焦状態の表示となる。
【０１１５】
［変形例］
以下、上記第１実施形態における一変形例を説明する。本変形例においては、一旦設定した上記ＡＦｒｅｆの再設定の操作を簡略化することを目的とする。本変形例により、例えば被写体の変更等があった場合における、上記ＡＦｒｅｆの再設定の煩わしさ（拡大モードを一旦抜けてから再度拡大モードに入るという操作）を省くことができる。
【０１１６】
図８に示すフローチャートは、図７に示すフローチャートの一部を変更したフローチャートである。したがって、図８に示すフローチャートにおけるステップのうち、図７に示すフローチャートにおけるステップと同一の処理を行うステップについては同じステップ番号を付し、説明を省略する。以下、本変形例の特徴部分であるステップＳ４４について説明する。
【０１１７】
まず、不図示の表示スタートスイッチがユーザーにより押されると、Ｂｕｃｏｍ２０１の割り込み処理で、ステップＳ４４の処理に移行する。ここで、ステップＳ４４においては、不図示の表示スタートスイッチがユーザーにより押された時点での撮影画像から合焦評価値を上述したように算出し、該算出した値を改めてＡＦｒｅｆとして設定する。その後、ステップＳ４４の割り込み前に処理を行っていたステップに戻る。
【０１１８】
以上説明したように、本変形例によれば、上記第１実施形態に係る合焦状態表示装置の奏する効果に加えて、以下の効果を奏する合焦状態表示装置を提供することができる。すなわち、本変形例によれば、上述したように容易な操作により新たにＡＦｒｅｆを設定でき、その新たに設定されたＡＦｒｅｆがその後上記ステップＳ３９における処理で使用されるので、上記合焦メーター２４０の表示が完全に更新される。つまり、本変形例によれば、被写体を変更した場合に、上記合焦メーター２４０における上記表示バー２４１の表示を容易に最初の設定から行える合焦状態表示装置を提供することができる。
【０１１９】
なお、上記表示スタートスイッチとしては、専用のスイッチを設けてもよいし、他のスイッチと兼用のスイッチとしても勿論よい。
【０１２０】
[第２実施形態]
以下、図面を参照して、本発明の第２実施形態に係る合焦状態表示装置を説明する。
【０１２１】
図９（ａ）乃至（ｃ）は、本実施形態に係る合焦状態表示装置の特徴部の一つである、マニュアルフォーカスの為の指標である合焦評価値の表示の一例を示す図である。ここで、図９（ａ）は、本実施形態における合焦評価値と撮影光学系１０２のレンズ位置との関係を示す図である。図９（ｂ）は、図９（ａ）に示す各レンズ位置における合焦評価値の表示の一例を示す図である。図９（ｃ）は、図９（ａ）に示す移動（３）の過程における合焦評価値の表示の一例を示す図である。
【０１２２】
なお、この図９は上述した第１実施形態における図６に対応する図である。特に、本実施形態では、移動（１）及び移動（２）に関しては、上記第１実施形態における図６に示す移動（１）及び移動（２）の場合と全く同様の表示を行う。したがって、ここでは上記第１実施形態に係る合焦状態表示装置と本実施形態に係る合焦状態表示装置との相違点を中心に説明する。
【０１２３】
図９（ｂ）は、上記移動（２）の過程において、撮影光学系１０２のレンズ位置がレンズ位置Ｌ６まで移動した場合を示す図である。なお、同図から分かるように、この移動（２）の過程において、合焦評価値の値はその最大値ＡＦｐｅａｋを通過してしまっている。本実施形態では、このような場合に、合焦評価値の最大値ＡＦｐｅａｋを通過してしまった旨をユーザーに認識させる為に、合焦評価値の最大値ＡＦｐｅａｋを通過したと判断（以降ピーク越え判断と称す）した場合に、合焦評価値の表示形態すなわち上記表示バー２４１の表示形態を切り替える。なお、上記ピーク越え判断のアルゴリズムの詳細については、図１０を参照して後述する。
【０１２４】
つまり、本実施形態においては、一旦上記ピーク越えをすると、上記ピーク越え判断アルゴリズムによりピーク越えを果たしたことの判断を行い、上記表示バー２４１の表示形態を、図９（ｃ）に示すように切り替える（図９に示す例では、表示色を黒色→赤色）。
【０１２５】
なお、図９（ｂ）におけるレンズ位置Ｌ６時の上記表示バー２４１の表示は、上記ピーク越えの判断時から上記表示バー２４１の表示形態の切り替え時までの間の僅かな瞬間（タイムラグ中）に表示される過渡的な表示である。
【０１２６】
このように、上記表示形態の切り替えとして具体的には、例えば表示色の変更が挙げられる。図９（ｃ）に示す例においては、ピーク越え判断をした場合には、上記表示バー２４１の表示色を赤色に切り替える（通常の上記表示バー２４１の表示色は黒色とする）。この他、上記表示バー２４１のテクスチャーパターンをストライプ状にしたり、上記表示バー２４１の液晶モニタ２２２における表示位置を変更するというような表示形態の切り替えも考えられる。すなわち、ユーザーが上記ピーク越えを認識できるような表示形態の切り替えであればよい。
【０１２７】
ここで、図９（ａ）及び図９（ｃ）に示す移動（３）は、ユーザーによる上記ピントリング１０６の逆回転操作（上記ピーク越え時における回転方向に対して逆回転の操作）により、上記撮影光学系１０２のレンズ位置が、レンズ位置Ｌ５（最も良好な合焦状態のレンズ位置）のレンズ位置まで戻される移動過程における上記表示バー２４１の表示を示している。なお、図９（ｃ）では撮影光学系１０２が、レンズ位置Ｌ５を再度通過して、レンズ位置Ｌ１の位置まで戻される時点の表示を示している。
【０１２８】
さらに、本実施形態には、上記第１実施形態にはない以下のような特徴がある。すなわち、本実施形態においては、上記表示バー２４１のレンジを、上記ピーク越え判断前後で変更する。これにより、ユーザーによるＭＦ動作がより容易なものになる。
【０１２９】
具体的には、上記移動（２）までの過程において、初期位置から合焦位置までの合焦評価値のレンジ（ＡＦｐｅａｋ−ＡＦｒｅｆ）がわかっているので、ピーク越え判断前では対数圧縮表示していた上記表示バー２４１のＡＦ表示を、ピーク越え判断後は次式に基づいての非圧縮表示に変更することによって、ＡＦｐｅａｋ付近の表示スケールを拡大表示することができる。
【０１３０】
ピーク越え判断後：
表示値ＡＦｌｅｖｅｌ＝１０×（ＡＦｎｏｗ／ＡＦｐｅａｋ）｝−２      …（３）
これによってＡＦｎｏｗ＝ＡＦｐｅａｋである場合をＡＦｌｅｖｅｌ＝８として、合焦評価値を上記表示バー２４１にて０〜１０の範囲でリニアスケールでの表示が可能になる。
【０１３１】
以下、図１０を参照して、上記ピーク越え判断のアルゴリズムを説明する。
【０１３２】
図１０（ａ）は、上記ピーク越え判断を正しく判断できるような上記ピントリング１０６の回転操作がユーザーにより行われた場合のピーク越えアルゴリズムを説明する図である。すなわちこの例は、上記ピーク越えを果たすまで、ユーザーにより上記ピントリング１０６が一方向に回転させられる場合である。この場合、上記ピーク越え後、上記合焦評価値がその最大値から所定量だけ低下したとＢｕｃｏｍ２０１が判断したとき（ＡＦｐｅａｋ−ＡＦｎｏｗの値が所定値より大きくなったと判断したとき）、上記表示バー２４１の表示形態を切り替える。
【０１３３】
そして、この上記表示バー２４１の表示形態の切り替えで上記ピーク越えを認識したユーザーは、上記ピントリング１０６を、上記表示形態の切り替えまでとは逆方向に回転させて、合焦評価値のピーク値であるＡＦｐｅａｋまで、上記撮影光学系１０２のレンズ位置を移動させる。
【０１３４】
一方、図１０（ｂ）は、上記ピーク越えを果たす前に、ユーザーにより上記ピントリング１０６の逆回転操作が為された場合のピーク越えアルゴリズムを説明する図である。この場合、Ｂｕｃｏｍ２０１は、上記逆回転操作直前の合焦評価値を、その最大値ＡＦｐｅａｋであると判断しないようにしなければならない。その為には、ピントリング１０６が連続的に一方向にのみ回転させられていることの判断、または合焦評価値がその最大値ＡＦｐｅａｋとなる前後において回転方向が同一であること（反転していないこと）の判断を、Ｂｕｃｏｍ２０１が行えば良い。
【０１３５】
すなわち、Ｂｕｃｏｍ２０１は、合焦評価値がその最大値ＡＦｐｅａｋとなる前後において回転方向が同一でなければ、上記ＡＦｐｅａｋの設定は行わないとすればよい。
【０１３６】
ここで、上記回転方向の検出の為には、例えば上記レンズ駆動機構１０３内に在る不図示のレンズ位置モニタ回路（例えば、フォトインタラプタ出力のパルスや、エンコーダ出力等）の出力により、上記ピントリング１０６の回転方向を、Ｌｕｃｏｍ１０１を介してＢｕｃｏｍ２０１が検出すればよい。このようにして、Ｂｕｃｏｍ２０１は、上記ピントリング１０６の回転方向を検出することで、上記ピーク越え判断を適正に行うことができる。
【０１３７】
以下、図１１乃至図１２に示すフローチャートを参照して、ライブビューモードにおいて図１０に示す合焦評価値を実際に表示する為の上記Ｂｕｃｏｍ２０１での動作制御を説明する。なお、図１１乃至図１２に示すフローチャートは、図５に示すフローチャートにおけるステップＳ１の処理を詳細に示すフローチャートでもある。また、図８に示すフローチャートにおけるステップと同じ処理を行うステップについては、同じステップ番号を付して説明も省略する。
【０１３８】
まず、上記ステップＳ３３において上記同期信号の入力があったと判断した場合には、レンズ位置データ（ピントリング１０６の回転方向を示すデータ）をＬｕｃｏｍ１０１から取得する（ステップＳ４５）。ここでは、上述したように、レンズ駆動機構１０３内に在る不図示のレンズ位置モニタ回路を使用する。
【０１３９】
また、上記ステップＳ３７において上記設定エリア内の合焦評価値を演算し、その後の基準となる合焦評価値ＡＦｒｅｆとした後、ＡＦｐｅａｋの値を、合焦評価値の初期値ＡＦｒｅｆ（ＡＦｐｅａｋ＝ＡＦｒｅｆ）に初期化する（ステップＳ４６）。このＡＦｐｅａｋの値は後述するステップＳ４９で使用する。続いて、後述するピーク越え判断に使用するピーク越えフラグｆｌａｇ＿ｐｅａｋを１に初期化する（ステップＳ４７）。
【０１４０】
そして、このステップＳ４７の後、上記ステップＳ３３と同様の処理を行うステップＳ３３Ａにおいて上記同期信号の入力があったと判断した場合には、上記ステップＳ４５と同様にして、最新の上記レンズ位置データを取得する（ステップＳ４８）。
【０１４１】
その後、上記ステップＳ３４乃至上記ステップＳ３６と同様の処理を行うステップＳ３４Ａ乃至ステップＳ３６Ａにおける処理を行い、上述したステップＳ３８にて、上記設定エリア内の合焦評価値を演算し、得られた値を現在の合焦評価値としてＡＦｎｏｗとした後、上記ＡＦｎｏｗの値と上記合焦評価値ＡＦｐｅａｋ（初期値はステップＳ４６で設定、その後は後述のステップＳ５０で更新設定）の値との大小を比較する（ステップＳ４９）。
【０１４２】
上記ステップＳ４９をＹＥＳに分岐する場合は、ＡＦｐｅａｋ＜ＡＦｎｏｗであって未だ合焦評価値がピーク値に達していない場合である。この場合、ＡＦｐｅａｋ＝ＡＦｎｏｗと代入する（ステップＳ５０）。その後、上記ステップＳ３９へ移行する。したがって、上記合焦評価値がピーク値に達するまでは上記ステップＳ５０へのパスを通り続けることとなる。
【０１４３】
一方、上記ステップＳ４９をＮＯに分岐する場合は、ＡＦｐｅａｋ≧ＡＦｎｏｗである。この場合、ＡＦｐｅａｋ−ＡＦｎｏｗの値が所定量に達しているか否か（ＡＦｐｅａｋ−ＡＦｎｏｗ＜所定値  であるか否か）を判断する（ステップＳ５１）。
【０１４４】
このステップＳ５１をＹＥＳに分岐する場合は、ＡＦｐｅａｋ−ＡＦｎｏｗの値が所定量に達していない場合、すなわち合焦評価値のピーク値を過ぎたが未だピーク値から僅かしか合焦評価値の値が低下していない場合である。この場合は、上記ステップＳ３９に移行する。
【０１４５】
ところで、上記ステップＳ５１をＮＯに分岐する場合は、合焦評価値がピーク値となった後に充分に低下したと判断した場合である。この場合、上記ピーク越えフラグｆｌａｇ＿ｐｅａｋの論理（ｆｌａｇ＿ｐｅａｋ＝０であるか）を判断する（ステップＳ５２）。
【０１４６】
ここで、ライブビューモードに移行した後において最初に合焦評価値のピーク値を通過してからも上記ピントリング１０６が回転させられ続けた場合は、上記ステップＳ４７でｆｌａｇ＿ｐｅａｋ＝１と設定されているので、上記ステップＳ５２をＮＯに分岐して、後述するステップＳ５３に移行する。
【０１４７】
上記ステップＳ５２をＮＯに分岐する場合は、合焦評価値がピーク値となった後に充分に低下したと判断した場合である。この場合、上記ピーク値の前後でピントリング１０６の回転方向は同一か否かを判断する（ステップＳ５３）。このステップＳ５３での判断は、ステップＳ４８で取得した上記レンズ位置データ、すなわち合焦評価値がピーク値となる前後の上記レンズ位置データを参照して行う。
【０１４８】
なお、ライブビューモードに移行した後、合焦評価値が減少する方向にのみ上記ピントリング１０６が回転させられ続けた場合にも上記ステップＳ５３に移行することになる。このとき、ＡＦｐｅａｋの値は上記ステップＳ４６で設定された（ライブビューモードに移行したときの合焦評価値であるＡＦｒｅｆ）値である。したがって、このときのＡＦｐｅａｋの値は、真のピーク値であるとはいえない。そして、実際この場合上記ステップＳ５３をＮＯに分岐する為、後述するステップＳ５４に進むという適切な処理となる。
【０１４９】
すなわち、上記ステップＳ５３をＮＯに分岐する場合は、合焦評価値がピーク値となった後に充分に低下したと判断した場合であって、且つ合焦評価値がピーク値となった前後におけるピントリング１０６の回転方向が同一ではない場合である。この場合、上記ピーク越えフラグｆｌａｇ＿ｐｅａｋ＝０とする（ステップＳ５４）。
【０１５０】
なお、上記ステップＳ５３をＮＯに分岐する場合は、図１０（ｂ）に示した状態であるので、この場合のＡＦｐｅａｋの値は真のピーク値ではないと判断すべきである。したがって、この場合上記ステップＳ５４で上記ピーク越えフラグｆｌａｇ＿ｐｅａｋ＝０とし、これにより次回の上記ステップＳ５２はＹＥＳに分岐することとなり、上記ステップＳ５５に移行する。
【０１５１】
一方、上記ステップＳ５３をＹＥＳに分岐する場合は、合焦評価値がピーク値となった後に充分に低下したとステップＳ５１において判断し、且つ合焦評価値がピーク値となった前後で上記ピントリング１０６の回転方向が同一であるとステップＳ５３において判断した場合である。この場合は図１０（ａ）に示した状態であるので、図９（ｃ）を参照して説明したように、表示バー２４１の表示形態を切り替える（ステップＳ５８）。すなわち、ここでは上述したように、表示バー２４１の表示色の変更を行う。
【０１５２】
そして、上記ステップＳ５８において表示形態の切り替えを行った後、上記（３）式に従って、上記表示バー２４１として表示するＡＦｌｅｖｅｌの値を算出する（ステップＳ５９）。なお、このステップＳ５９での演算は、上述したようにＡＦｎｏｗ／ＡＦｐｅａｋを非圧縮演算を行う。
【０１５３】
その後、上記ステップＳ３３と同様の処理を行うステップＳ３３Ｂにおいて上記同期信号の入力があったと判断した場合には、上記ステップＳ４８の処理と同様の処理を行うステップＳ４８Ａの処理を行い、更に上記ステップＳ３４乃至上記ステップＳ３７と同様の処理を行うステップＳ３４Ｂ乃至ステップＳ３７Ｂの処理を行う。
【０１５４】
なお、このステップＳ５９乃至ステップＳ３７Ｂの一連の処理過程において、ユーザーにより不図示の表示スタートスイッチが押されると、Ｂｕｃｏｍ２０１の割り込み処理でステップＳ６０に処理を移行する。このステップＳ６０は、再度最初からライブビュー表示を行う為に上記ステップＳ３３へ移行する為のステップである（ステップＳ６０）。言い換えれば、ステップＳ６０は、ピーク越え判断後にライブビュー表示を改めて最初からやり直す場合の処理である。また、上記ステップＳ５９乃至ステップＳ３７Ｂの一連の処理過程における割り込み処理としては、上記ステップＳ４２、上記ステップＳ４３、及び上記ステップＳ４４の割り込み処理に関しても勿論実行され得る。
【０１５５】
ところで、上記ステップＳ５２をＹＥＳに分岐する場合は、合焦評価値がピーク値となる前にユーザーによりピントリング１０６が逆回転操作された場合である。この場合には、ピントリング１０６の回転方向が再度反転されたか（すなわち、再び合焦評価値がピーク値に向かう方向へ撮影光学系１０２が移動されているか）否かを判断する（ステップＳ５５）。ここで、ピントリング１０６の回転方向が再度反転されるまでは、上記ステップＳ５５をＮＯに分岐する。すなわち、このような場合常に上記ステップＳ３９に移行することになる。
【０１５６】
一方、上記ステップＳ５５をＹＥＳに分岐する場合は、合焦評価値がピーク値となる前にピントリング１０６が逆回転操作されたが、その後再度逆回転操作された場合である。この場合、上記ステップＳ５４で０に設定された上記ピーク越えフラグｆｌａｇ＿ｐｅａｋを再び１に設定する（ステップＳ５６）。そして、このステップＳ５６を経た後、ＡＦｎｏｗの値をＡＦｐｅａｋの値としてＡＦｐｅａｋの更新設定を行う（ステップＳ５７）。
【０１５７】
以上説明したように、本第２実施形態によれば、上記第１実施形態に係る合焦状態表示装置の奏する効果に加えて以下のような効果を奏する合焦状態表示装置を提供することが出来る。
【０１５８】
まず、本実施形態に係る合焦状態表示装置によれば、ユーザーによるピントリング１０６の操作により合焦評価値がピーク値を通過した場合には、上記表示バー２４１の表示形態を切り替えるので、ユーザーがその旨を即座に認識できる。
【０１５９】
さらに、該切り替えの後の表示形態において、上述したように、それまでの圧縮表示から非圧縮表示に切り替えるので、合焦評価値の変化に対する表示バー２４１の伸縮幅が増大し、ユーザーによる表示バー２４１を見ながらのＭＦでの合焦が、非常に容易になる。
【０１６０】
［第３実施形態］
以下、図１３を参照して、本発明の第３実施形態に係る合焦状態表示装置を説明する。上記第２実施形態と本実施形態との相違点は、本実施形態においては後述するピークホールド表示２４２を行う点である。
【０１６１】
なお、この図１３（ａ）乃至（ｃ）は上述した第２実施形態における図９（ａ）乃至（ｃ）に対応する図である。したがって、ここでは上記第２実施形態に係る合焦状態表示装置と本実施形態に係る合焦状態表示装置との相違点のみを説明する。なお、図１３（ｂ）におけるレンズ位置Ｌ６時の上記表示バー２４１の表示は、上記ピーク越えの判断時から上記表示バー２４１の表示形態の切り替え時までの間の僅かな瞬間（タイムラグ中）に表示される過渡的な表示である。
【０１６２】
本実施形態においては、上記移動（２）の過程において、図１３（ｂ）に示すように現時点までにおける合焦評価値のピーク値に対応する上記表示バー２４１の目盛位置にピークホールド表示２４２を表示する。なお、該ピークホールド表示２４２とは、図１３（ｂ）及び（ｃ）に示すように、現時点までにおける最長時の表示バー２４１の到達した目盛位置を、ユーザーが認識可能なように行う表示である。このピークホールド表示２４２により、ユーザーはその時点までにおける合焦評価値のピーク値を知ることができる。したがって、上記移動（２）の過程において撮影光学系１０２のレンズ位置がレンズ位置Ｌ６になった場合には、ユーザーは上記ＡＦｐｅａｋを通過してしまったことを認識できる。
【０１６３】
すなわち、撮影光学系１０２のレンズ位置がレンズ位置Ｌ５に達するまでは、その時々の合焦評価値がその時点でのピーク値であるので、常にピークホールド表示２４２の目盛位置は更新され続ける。そして、撮影光学系１０２のレンズ位置がレンズ位置Ｌ５を経た後は、レンズ位置Ｌ５時点におけるピークホールド表示２４２を維持し続けることになる。
【０１６４】
これは、撮影光学系１０２のレンズ位置がレンズ位置Ｌ５である時の合焦評価値がピーク値すなわちＡＦｐｅａｋであるからである。したがって、図１３（ｃ）に示すように、一旦上記表示バー２４１の表示形態が切り替わった後には、レンズ位置Ｌ５時点におけるピークホールド表示２４２を維持し続けることになる。
【０１６５】
なお、このピークホールド表示２４２を実現する為の動作制御のフローチャートについては、例えば第２実施形態における図１１に示すフローチャートの上記ステップＳ５０を以下のように変更すればよい。
【０１６６】
すなわち、上記ステップＳ５０においては、ＡＦｐｅａｋ←ＡＦｎｏｗと代入し、且つ該ＡＦｐｅａｋの値を上記ピークホールド表示２４２の表示値として上記表示バー２４１として表示する（ステップＳ５０）。
【０１６７】
以上説明したように、本実施形態によれば、上記第２実施形態に係る合焦状態表示装置と同様の効果を奏する上に、以下のような効果を奏する合焦状態表示装置を提供することができる。
【０１６８】
すなわち、本実施形態に係る合焦状態表示装置によれば、上記合焦メーター２４０中に上記ピークホールド表示２４２を表示するので、ユーザーによるＭＦでの合焦操作がより容易になる。これは、上述したように、ユーザーは、上記表示バー２４１の表示形態が切り替わった（本実施形態においては表示色の赤色への変更）後に、単純に上記表示バー２４１の上面が上記ピークホールド表示２４２の位置と一致するように上記ピントリング１０６を操作すれば合焦状態を得ることが出来るためである。
【０１６９】
以上、第１実施形態乃至第３実施形態に基づいて本発明を説明したが、本発明は上述した実施形態に限定されるものではなく、本発明の要旨の範囲内で種々の変形及び応用が可能なことは勿論である。
【０１７０】
例えば、上記の各実施形態においては、それぞれの実施形態における合焦状態表示装置をレンズ交換可能な一眼レフレックスカメラに搭載した場合を例にして説明したが、他にも山登りＡＦ機能とＭＦ機能とを併せ持つ他種のカメラすなわちスチルカメラやビデオカメラ等にも上記の各実施形態を適用することができることは勿論である。
【０１７１】
また、上記の各実施形態においては、上記合焦メーター２４０は上記表示バー２４１の長さで合焦度合いを表すよう構成したが、ユーザーが一目見て認識及び判断できる構成であれば、上記表示バー２４１の代わりに他の図形の形状により合焦の度合いを表すようにしても勿論良い。例えば、上記表示バー２４１の代わりに、円形の表示インジケータを採用し、この円形表示インジケータの半径により合焦の度合いを表すようにする例が挙げられる。さらに、上記表示バー２４１の代わりにサイズを固定した三角形インジケータを採用し、該三角形インジケータの液晶モニタ２２２中における所定の範囲内での左右移動により、合焦の度合いを表すようにする例も挙げられる。
【０１７２】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１７３】
【図１】第１実施形態に係る合焦状態表示装置の主要な構成を示すブロック図。
【図２】第１実施形態に係る合焦状態表示装置を搭載されたカメラの構成を詳細に示したブロック図。
【図３】第１実施形態に係る合焦状態表示装置を搭載したカメラの背面図を示す図。
【図４】ライブビューモード時の液晶モニタにおける表示画面を示す図。
【図５】（ａ）は、第１実施形態に係る合焦状態表示装置を搭載したカメラにおけるライブビューモードによる撮影動作のＢｕｃｏｍでの動作制御の処理の流れ示すフローチャート。（ｂ）は、ライブビューモードの動作を終了する場合のＢｕｃｏｍでの処理の流れを示すフローチャート。
【図６】（ａ）は、第１実施形態における合焦評価値と撮影光学系のレンズ位置との関係を示す図。（ｂ）は、（ａ）に示す各レンズ位置における合焦評価値の表示の一例を示す図。（ｃ）は、（ａ）に示す移動（３）の過程における合焦評価値の表示の一例を示す図。
【図７】ライブビューモードにおいて図６に示す合焦評価値を実際に表示する為のＢｕｃｏｍでの動作制御を示すフローチャート。
【図８】第１実施形態の一変形例におけるフローチャートであり、図７に示したフローチャートの一部を変更したフローチャート。
【図９】（ａ）は、第２実施形態における合焦評価値と撮影光学系のレンズ位置との関係を示す図。（ｂ）は、（ａ）に示す各レンズ位置における合焦評価値の表示の一例を示す図。（ｃ）は、（ａ）に示す移動（３）の過程における合焦評価値の表示の一例を示す図。
【図１０】ピーク越え判断のアルゴリズムを示す図。
【図１１】第２実施形態のライブビューモードにおける動作制御を示すフローチャートの第１部分。
【図１２】第２実施形態のライブビューモードにおける動作制御を示すフローチャートの第２部分。
【図１３】（ａ）は、第３実施形態における合焦評価値と撮影光学系のレンズ位置との関係を示す図。（ｂ）は、（ａ）に示す各レンズ位置における合焦評価値の表示の一例を示す図。（ｃ）は、（ａ）に示す移動（３）の過程における合焦評価値の表示の一例を示す図。
【符号の説明】
【０１７４】
２…撮像部、  ４…合焦評価値演算部、  ６…ピーク検出部、  ８…合焦メーター作成部、  １０…表示部、  １２…モニタ、  １０１…レンズ制御用マイクロコンピュータ、  １０２…撮影光学系、  １０３…レンズ駆動機構、  １０５…絞り駆動機構、  １０６…ピントリング、  ２０１…ボディ制御用マイクロコンピュータ、  ２０２ａ…メインミラー  ２０４…測光回路、  ２０５…ＡＦセンサユニット、  ２０８…シャッター部、  ２１２…撮像素子、  ２１７…撮像インターフェイス回路、  ２１８…画像処理コントローラ、  ２１９…バッファメモリ、  ２２１…記録メディア、  ２２２…液晶モニタ、  ２３０…拡大ボックス、  ２３２…合焦評価値演算領域、  ２４０…合焦メーター、  ２４１…表示バー、  ２４２…ピークホールド表示、  ３０３…モードダイヤル、  ３１６…メインダイヤル、  ３１７…ＡＦフレームボタン、  ３２６…ライブボタン。
【図１】
0004624286.tif 000002
【図２】
0004624286.tif 000003
【図３】
0004624286.tif 000004
【図４】
0004624286.tif 000005
【図５】
0004624286.tif 000006
【図６】
0004624286.tif 000007
【図７】
0004624286.tif 000008
【図８】
0004624286.tif 000009
【図９】
0004624286.tif 000010
【図１０】
0004624286.tif 000011
【図１１】
0004624286.tif 000012
【図１２】
0004624286.tif 000013
【図１３】
0004624286.tif 000014